(57)【要約】【課題】外部床に形成される水勾配に関わらず、埋込物を水平に設置することができる外部床構造を提供する。【解決手段】一方から他方に向けての水勾配を有する一般床部３と共に、有底箱状又は筒状の機能部材５を上部突出状に埋込設置する機能付加床部６とを備え、機能付加床部６は、一般床部境界から凹み状に形成されると共に、機能部材５を支持する枠体７を収容する構成とする。凹部付き床部６には、当該凹部６１の周縁部を包囲する枠体７を設置する。枠体７は、凹部６１の底面に支持される座部と、該座部の外端部から立ち上がる立上り部７２ｃ，７３ｃとを備える構成とする。該立上り部７２ｃ，７３ｃの上端部を、一般床部３と凹部付き床部６の境界に配置し、当該立上り部７２ｃ，７３ｃの上端部から埋込物５の周壁までの間に、充填材を充填して充填層６２を形成する。【選択図】図１
2014114604.tif 000002
【特許請求の範囲】
【請求項１】
一方から他方に向けての水勾配を有する一般床部と共に、有底箱状又は筒状の機能部材を上部突出状に埋込設置する機能付加床部とを備え、
該機能付加床部は、一般床部との境界から凹状に形成されると共に、前記機能部材を支持する枠体が収容されており、
該枠体は、
前記機能付加床部の底面に支持される座部と、
該座部の外端部から立ち上がる立上り部とを備えており、
該立上り部の上端部は、前記一般床部と前記機能付加床部の境界に位置し、
当該立上り部の上端部から前記機能部材の周壁までの間には、充填材を充填した充填層が設けられている
ことを特徴とする外部床構造。
【請求項２】
前記機能付加床部は、前記一般床部の水勾配に平行となる位置で前記一般床部に隣接して設けられており、
当該隣接する一般床部の境界部分に位置する立上り部の上端部は、前記一般床部の水勾配に沿って傾斜状に形成されている
ことを特徴とする請求項１に記載の外部床構造。
【請求項３】
前記機能付加床部は、貫通孔を備えており、
前記機能部材は、前記枠体に支持された状態で前記貫通孔に収容されている
ことを特徴とする請求項１または２に記載の外部床構造。
【請求項４】
前記機能部材は、前記充填層よりも上方に突出する部位及び前記充填層の中途部までを覆う断面Ｌ字状の防水鋼板により包囲されると共に、該機能部材の周壁には、該防水鋼板を受ける桁部が周回して凸状に設けられており、
該桁部の上端部は、前記一般床部の水勾配方向でみたときに、前記機能部材の水下側の端縁部と同じ位置での一般床部の高さ位置と同じ或いは高い位置に設定されている
ことを特徴とする請求項１〜３の何れか一項に記載の外部床構造。
【発明の詳細な説明】
【技術分野】
【０００１】
本発明は、住宅、公共建築物等の建物のベランダ等の外部床に設置される避難ハッチ（機能部材）の防水枠及び外部床開口部の防水構造に関する。
【背景技術】
【０００２】
従来より、集合住宅等の建物においては、火災、地震等の災害時に下階へ避難する為の手段として、ベランダ等の外部床の内部に梯子を収容した避難ハッチを設けることがある。
【０００３】
現在市販されている避難ハッチは、四角筒状の枠と、ヒンジ等によって連結された上下の蓋からなり、腐食の生じにくいステンレス鋼板で構成されている。このような避難ハッチの設置にあたっては、例えば鉄筋コンクリート造の建物の場合、コンクリート打設前に外部床の所定位置に枠を予め埋め込んでおくことが一般的である。
【０００４】
ところで、この種の外部床には、雨水を良好に排出すべく例えば建物側から外方の手摺側（腰壁側）に向けて１／１００〜１／２００程度の勾配を有する水勾配が設けられており、かかる水勾配は避難ハッチ周りにも存在する。このため、避難ハッチや避難ハッチを覆う蓋体が当該水勾配なりに斜め設置となってしまうことが考えられる。
【０００５】
これに対し、特許文献１では、ハッチ枠が、上枠と、この上枠の下部にボルトで結合される下枠により構成され、上枠はこれの上方外周に沿って張り出された外方張出縁を有し、上枠の開口上端面が水平に設置されるように外方張出縁のベランダ床面側に当接する下端縁がベランダ床面の傾斜面にほぼ対応する傾斜状に形成されている構成が開示されている。これにより、ハッチ上枠が水平に設置されるものとなる。
【先行技術文献】
【特許文献】
【０００６】
【特許文献１】特開２００４−６５８３１号公報
【発明の概要】
【発明が解決しようとする課題】
【０００７】
しかしながら、上記特許文献１の構成においては、外方張出縁の下端縁が斜め傾斜状に形成された構成であるため、当該傾斜面に沿う水勾配を有する外部床にした適用できない。外部床の水勾配は、外部床の大きさや位置によってその傾斜角度は様々であり、それぞれの現場で異なることは少なくない。また、現場で水勾配を施工する場合には、職方のモルタル左官等で水勾配が形成され、やはり現場毎にその角度は異なる場合が多く、すべての現場で一致させることができない。このため、上記特許文献１の構成にあっては、下端縁を傾斜状に形成したとしても、水勾配に対する設置問題を解決することができないおそれがある。
【０００８】
そこで、本発明は、外部床に形成される水勾配に関わらず、ハッチ等の埋込物（機能部材）を水平に設置することができる外部床構造を提供することを目的とする。
【課題を解決するための手段】
【０００９】
本発明の外部床構造は、一方から他方に向けての水勾配を有する一般床部と共に、有底箱状又は筒状の機能部材を上部突出状に埋込設置する機能付加床部とを備え、該機能付加床部は、一般床部との境界から凹状に形成されると共に、機能部材を支持する枠体が収容されており、該枠体は、機能付加床部の底面に支持される座部と、該座部の外端部から立ち上がる立上り部とを備えており、該立上り部の上端部は、一般床部と凹部付き床部の境界に位置し、当該立上り部の上端部から機能部材の周壁までの間には、充填材を充填した充填層が設けられていることを特徴としている。
【００１０】
この外部床構造によれば、一般床部に隣り合う機能付加床部の凹部に、枠体を設置すると、該枠体の立上り部の上端部（先端部）が、一般床部との境界に位置する。これによって、一般床部と機能付加床部とが明確に区切られるものとなる。そして、機能付加床部の凹部内に箱状又は筒状の機能部材を収容（設置）した後、充填材を枠体内に充填することで、当該充填材により機能部材周りに水勾配を形成することができる。このように、機能部材を水平設置した状態で当該機能部材の周囲に水勾配を形成することができ、当該機能部材の設置状態は、周囲の水勾配の影響を受けないものとなる。
【００１１】
加えて、一般床部を形成する工程とは別工程で機能付加床部に水勾配を形成することができ、且つ、当該機能付加床部の水勾配を現場の状態（状況）に合わせて当該現場なりに形成することができ、現場の状況に応じた任意の水勾配を形成することができるものとなっている。なお、機能部材を上部突出状に埋込設置するとは、機能部材を充填層に埋め込むと共に、機能部材の上部側を上方へ突出させるように設置することをいう。
【００１２】
また、機能付加床部は、一般床部の水勾配に平行となる位置で一般床部に隣接して設けられており、当該隣接する一般床部の境界部分に位置する立上り部の上端部は、一般床部の水勾配に沿って傾斜状に形成されていることが好適である。これによれば、枠体の立上り部を定規として充填材を枠体内に充填することにより、機能付加床部（上下連通床部）の水勾配と一般床部とを段差無く揃えることができる（より排水性能を向上させることができる）。また、かかる両床部（一般床部と機能付加床部の両方）の水勾配を段差無く揃える施工の容易化も図られるものとなる。
【００１３】
また、機能付加床部は、貫通孔を備えており、機能部材は、枠体に支持された状態で貫通孔に収容されている構成でもよい。これによれば、貫通孔内に箱状又は筒状の埋込物（機能箱状体）を収容することができる。
【００１４】
また、機能部材は、充填層よりも上方に突出する部位及び充填層の中途部までを覆う断面Ｌ字状の防水鋼板により包囲されると共に、該機能部材の周壁には、該防水鋼板を受ける桁部が周回して凸状に設けられており、該桁部の上端部は、一般床部の水勾配方向でみたときに、機能部材の水下側の端縁部と同じ位置での一般床部の高さ位置と同じ或いは高い位置に設定されている。
【００１５】
この構成の外部床構造によれば、機能部材の周壁に設けられた桁部と周壁（側壁部）上端部との間隔が周壁のいずれの位置でも同じとなる。したがって、当該周壁の桁部から周壁の上端部を覆う防水鋼板も周壁の周回に亘って同一の高さに設定することができるため、各側壁には同じ断面形状の防水鋼板を用いることができ、部材点数の削減が図られる。
【００１６】
また、当該桁部は、一般床部の水勾配方向でみたときに、箱状又は筒状の埋込物の水下側の端部と同じ位置での一般床部の水勾配の高さ位置と同じ或いは高い位置に設定されているので、一般床部に合わせて当該機能部材周りに水勾配を形成すると、当該桁部が水勾配よりも上方に突出することは無く、一般床部と機能部材周りの水勾配とを段差なく滑らかに連結することができるものとなっている。
【００１７】
また、枠体内に充填物を充填する際に、当該桁部を機能部材側の定規として用いることができ、当該桁部と、一般床部の水勾配の縁部とを充填材で連結することにより、これらの間を滑らかに連結することができるものとなり、その施工も容易となる。
【００１８】
この際、機能部材の周囲には、桁部に合わせて防水鋼板が設けられているため、当該機能部材の周囲は水平となるが、水勾配方向にみて機能部材の水下側となる部位では、下り傾斜状に形成されるものとなり、当該部位では水勾配なりに排水され、当該排水に引っ張られて他の部位の水も排水され易くなり、水溜りができるおそれが低減される。
【発明の効果】
【００１９】
本発明によれば、外部床に形成される水勾配に関わらず、機能部材を水平に設置することができる外部床構造を提供することができる。
【図面の簡単な説明】
【００２０】
【図１】本発明の第１実施形態に係る外部床構造を有するベランダの斜視図である。
【図２】図１中のＩＩ−ＩＩ線に沿う断面図である。
【図３】図１中のＩＩＩ−ＩＩＩ線に沿う断面図である。
【図４】図１中の上下連通床部に配置される枠体の斜視図である。
【図５】本発明の第２実施形態に係る外部床構造の枠体を示す斜視図である。
【発明を実施するための形態】
【００２１】
以下、図面を参照して、本発明の外部床構造を建物の片持ち形式のベランダの床に採用した、好ましい実施形態につき詳細に説明する。本実施形態において、外部床構造の貫通孔（凹部）に設置される機能部材は、避難ハッチ（機能箱状体）である。
【００２２】
図１〜図３は、避難ハッチが設けられたベランダ床の構造を示すものである。図１は、ベランダ床の斜視図であり、一般床部の一部が断面として示された図である。図２は、図１中のＩＩ−ＩＩ線に沿う断面図、図３は、図１中のＩＩＩ−ＩＩＩ線に沿う断面図である。
【００２３】
（建物の構成）
図１〜図３に示すベランダ１は、建物２から張り出すように形成されている。建物２は、角形鋼管からなる柱（不図示）とＨ形鋼からなる梁２１で軸組みが構成された鉄骨造建物である。建物２の外壁２２、建物２の床２３、ベランダ１の腰壁１１、ベランダ１の床（一般床部３ａ）はＡＬＣパネルからなる。外壁パネル２２ａは、梁２１の上フランジ２１ａに取り付けられた断面逆Ｔ字状または断面Ｌ字状の金物２４等で位置決め及び支持されている。
【００２４】
（ベランダの構成）
ベランダ１は、外部床４と腰壁１１とを備えている。ベランダ１は、躯体（建物２の梁２１など）に連結された梁１２〜１４によって支持されている。梁１２〜１４は例えばＨ形鋼からなり、図２に示す梁１２はベランダ１の先端側で図示Ｘ方向に延在している。図３に示す梁１２，１３は、Ｘ方向に所定の間隔で配置され、図示Ｙ方向に延在している。
【００２５】
腰壁１１は、所定のモジュールを有するＡＬＣパネルを連続して設けることで形成されている。腰壁パネル１１ａ（ＡＬＣパネル）は、梁１２の上フランジ１２ａに取り付けられた断面逆Ｔ字状または断面Ｌ字状の金物１５等で位置決め及び支持されている。腰壁１１は、ロッキング可能である。
【００２６】
外部床４は、一方から他方に向けての水勾配を有する一般床部３を備えている。一般床部３は、梁１２〜１４に支持された床スラブ（ＡＬＣパネル）３ａ、床スラブ３ａ上に形成される勾配層３１、勾配層３１上の設けられた不燃板（歩行板）３３、その上方に防水層３２を有する。勾配層３１は、上面に勾配のついた勾配板を敷設することによって形成されている。外部床４では、傾斜が設けられた勾配層３１によって、水勾配が形成されている。本実施形態では、水勾配は、居室側（建物２の外壁２２側）が高く、腰壁１１側が低くなっている。
【００２７】
防水層３１は、主たる構成材料が軟質の塩化ビニールである防水シートが形成されている。一般床部３では、勾配板に所定の間隔でディスクが設置されている。ディスクは、勾配板の床（梁）への留付け代、及び防水層３１の取付け代を形成している。
【００２８】
また、外部床４は、一般床部３に隣り合う位置に凹部６１を有する上下連通床部６（凹部付き床部、機能付加床部）を備えている。上下連通床部６には、避難ハッチ５を収容する貫通孔７１が形成された枠体７が全面に亘って設置されている。（貫通孔７１を設ける部位の周囲は、一般床部３とは異なる上下連通床部６となる。）貫通孔７１は、一つでもよく、複数個所に形成されていてもよい。
【００２９】
上下連通床部６には、枠体７を収容するための凹部６１が形成されている。枠体７は、上下連通床部６の凹部６１に収容されている。当該上下連通床部６の凹部６１は、一般床部３の床スラブ３ａに孔を開ける構成でもよく、凹部６１を形成するように（凹部６１の周囲に）床スラブ３ａを配置する構成でもよい。
【００３０】
上下連通床部６は、凹部６１に設置される枠体７と、枠体７（の貫通孔７１）に収容される避難ハッチ５（機能箱状体、機能部材）と、枠体７上に充填される充填層６２とを備えている。
【００３１】
枠体７は図３に示すように梁１３，１４の上フランジ１３ａ，１４ａにボルト固定されている。梁１３，１４の上には発泡樹脂からなる板状の断熱材、断熱材を保護する硬質の保護板材が敷設されたうえで、主たる構成材料が軟質の塩化ビニールである防水シートが絶縁工法（浮かし貼り工法）、すなわち、床面に対し固定金具を、ビスを用いて所定の位置に固定し、この固定金具に防水シートを融着あるいは溶着する工法によって、防水層を形成してもよい。なお、枠体７の上には、避難ハッチ５周りに水勾配を形成するために、モルタル（充填材）が打設され、充填層６２が形成されている。ベランダ１の外部床４の下方には所定の防火性能を有する板材１６によって軒天井が構成されている。板材１６は、図示しない吊り具を介して梁１３，１４に支持されている。
【００３２】
（避難ハッチの構成）
避難ハッチ５は、四角筒状のケース５１と、上蓋５２と、下蓋５３とを有する。上蓋５２は、ヒンジを介して開放可能に取り付けられている。下蓋５３は、ケース５１の下部の軒天井の板材１６のレベルに配置され、ヒンジを介して開閉可能に取り付けられている。下蓋５３は、上蓋５２の開閉に連動して開閉するように構成されている。ケース５１の内部にはスライド伸縮式の梯子５４が収容されている。
【００３３】
避難ハッチ５の周壁の外面には、外方に張り出す桁部５５が形成されている。桁部５５は、例えば、断面コ字状の金物等により構成されている。桁部５５は、ケース５１の全周に亘って凸状に張り出すように形成されている。桁部５５の上面は、同一の高さとなるように取り付けられている。桁部５５の高さ位置は、水下側の水勾配の高さ位置に沿っていることが好ましい。避難ハッチ５は、当該避難ハッチ５を掛止するためのブラケット５６を介して、枠体７に掛止され、貫通孔６１に収容されている。ブラケット５６は、例えば断面Ｌ字状の金物等により構成されている。ブラケット５６の高さ方向Ｚの長さは、全周において同一である。そして、ブラケット５６の上端部が、桁部５５の底面に当接することで、避難ハッチ５の高さ位置が規定されると共に、避難ハッチ５が支持されている。
【００３４】
（枠体の構成）
図４は、枠体を示す斜視図である。図４に示すように、枠体７は、例えば４つの鋼板部材７２〜７５が組み合わされて形成されている。枠体７の中央部には、避難ハッチ５が配置される貫通孔７１が形成されている。鋼板部材７２，７３は、Ｘ方向において貫通孔７１に隣接する部分を形成している。鋼板部材７４，７５は、Ｙ方向において貫通孔７１に隣接する部分を形成している。鋼板部材７４は、貫通孔７１の腰壁１１側に隣接する部分を形成し、鋼板部材７５は、貫通孔７１の居室側に隣接する部分を形成している。
【００３５】
鋼板部材７２，７３は、水平片７２ａ，７３ａと、水平片７２ａ，７３ａの内側縁から下方に屈折した垂下片７２ｂ，７３ｂと、水平片７２ａ，７３ａの外側縁から上方に屈折した起立片７２ｃ，７３ｃと、水平片７２ａ，７３ａの前縁から上方に屈折した前側起立片７２ｄ，７３ｄとを備えている。鋼板部材７２，７３は、平面視において矩形状を成している。垂下片７２ｂ，７３ｂは、Ｘ方向に対向して配置されている。
【００３６】
鋼板部材７４は、水平片７４ａと、水平片７４ａの内側縁から下方に屈折した垂下片７４ｂと、水平片７４ａの前縁から上方に屈折した前側起立片７４ｄとを備えている。前側起立片７２ｄ，７３ｄ，７４ｄは、Ｘ方向に連続するように形成され、枠体７の前側の壁体を構成している。鋼板部材７５は、水平片７５ａと、水平片７５ａの内側縁から下方に屈曲した垂下片７５ｂとを備えている。垂下片７４ｂ，７５ｂは、Ｙ方向に対向して配置されている。枠体７では、垂下片７２ｂ，７３ｂ，７４ｂ，７５ｂによって、貫通孔７１の周縁が形成されている。
【００３７】
枠体７は、梁１３，１４に支持される座部を備えている。この座部は、水平片７２ａ，７３ａ，７４ａ，７５ａによって構成されている。枠体７の座部は、梁１３，１４の上フランジ１３ａ，１４ａにボルト固定されている。座部を構成する水平片７２ａ，７３ａ，７４ａ，７５ａは、同じ高さに配置され、開口部７１の周縁部は同じ高さに設定されている。
【００３８】
枠体７は、座部の外端部から立ち上がる立上り部を備えている。この立上り部は、起立片７２ｃ，７３ｃによって構成されている。そして、立上り部の上端部（起立片７２ｃ，７３ｃの上端部）は、一般床部３と上下連通床部６との境界に位置している。立上り部の上端部から避難ハッチ５の周壁まで間に、充填材が充填されることで充填層６２が形成されている。
【００３９】
立上り部の上端部は、隣接する一般床部３の水勾配に対応して平行に形成されている。一般床部３の水勾配に平行となる立上り部の上端部は、一般床部３の水勾配（勾配層３１）なりに傾斜している。
【００４０】
（充填層）
充填層６２は、充填材として例えばモルタルが充填されている。充填層６２では、枠体７の座部上にラス網（金網）が設置されて、モルタルが充填されている。これにより、充填層が嵩上げされると共に、充填層の収縮によるひび割れが防止される。充填層６２は、枠体７の立上り部の上端部と、避難ハッチ５の周壁の桁部５５の上端部との間で連続する面を形成するように、施工されている。
【００４１】
（上下連通床部の水勾配）
上下連通床部６では、充填層６２の表面に傾斜を設けることで、水勾配が形成されている。上下連通床部６の水勾配は、一般床部３側から避難ハッチ５に向けて下方に傾斜するように勾配が形成されている。上下連通床部６の水上側（居室側）は、避難ハッチ５の側方（図示Ｘ方向の両側）に雨水が流れるように勾配が形成されている。また、避難ハッチ５周り（周壁近傍）は、平面となっている。避難ハッチ５の水下側は、下り勾配が形成され、腰壁１１側が低くなっているので、雨水が腰壁１１側へ流れることになる。
【００４２】
（防水鋼板）
避難ハッチ５の周囲には、防水鋼板８１〜８４が配置されている。防水鋼板８１〜８４は、Ｌ字断面形状を有し、避難ハッチ５の周壁の上端部から桁部５５まで、及び充填層６２の上端部（表面）を覆うように形成されている。防水鋼板８１，８２は、避難ハッチ５のＸ方向の両側にそれぞれ配置されている。防水鋼板８３は、避難ハッチ５の水下側に配置されている。防水鋼板８３は、充填層６２の避難ハッチ５の近傍部分を覆っている。防水鋼板８４は、避難ハッチ５の水上側に配置されている。防水鋼板８４は、建物Ａの居室の外壁２２の下端部も覆うように形成されている。
【００４３】
また、ベランダ１では、水下側において、腰壁１１の下端部に沿って防水鋼板８５が設置され、ベランダ１の幅方向（図示Ｘ方向）に延在する排水溝部が形成されている。また、上下連通床部６では、防水鋼板８３，８５間の充填層６２の表面を覆うように、防水シートが施工されている。防水シートは、例えば、塩化ビニールによって形成され、防水鋼板８１〜８５は、鋼板の表面に防水シートと同一の材料である塩化ビニールがコーティングされている。防水鋼板８１〜８５は、防水シートを融着あるいは溶着しうるように、構成されている。これにより、防水鋼板８１〜８５と、防水鋼板８１〜８５に隣接する防水シートとを水密的に連結することができる。
【００４４】
（施工手順）
次に、本実施形態に係るベランダ床の施工手順について説明する。まず、ベランダの梁１２〜１４を設置し、ベランダ１の一般床部３を構成する床パネル３ａを敷設する。床パネル３ａは、梁間に落とし込まれた状態で、支持金物を介して設置される。
【００４５】
次に、一般床部３に隣接される上下連通床部６を施工する。ここでは、枠体７を梁１３，１４に固定し、枠体７の貫通孔７１に避難ハッチ５を設置する。避難ハッチ５の周囲に充填層６２を形成する。枠体７の座部上にラス網を施工したあと、充填材を充填材を充填する。左官により上下連通床部６にも水勾配を形成する。このとき、枠体７の立上り部の上端と、避難ハッチ５の桁部５５の上端とを滑らかにつなぐように、充填層６２の表面を形成することで、水勾配を形成する。この状態において、避難ハッチ５の桁部５５よりも上部は、充填層６２よりも上方に突出している。次に、防水鋼板８１〜８４を充填層６２上面から避難ハッチ５の上端部まで設置する。
【００４６】
次に、一般床部３を施工する。ここでは、勾配板３１を敷設し、不燃板を敷設して、ディスクを所定間隔で設置する。次に、水下部に防水鋼板８５を設置し、排水部を形成する。
【００４７】
次に、防水層３２を施工する。ここでは、一般床部３及び上下連通床部６に亘って防水層３２（塩化ビニルのシート）を敷設する。続いて、塩化ビニルのシート、ディスク、防水鋼板８１〜８５を溶着する。次に、軒天板（軒天井）を設置する。
【００４８】
上記構成の外部床構造によれば、一般床部３に隣り合う上下連通床部６の凹部６１の周縁部を包囲する枠体７が設置されているので、枠体７の立上り部７２ｃ，７３ｃの上端部が、一般床部３との境界に配置される。これによって、一般床部３と上下連通床部６とが明確に区切られるものとなる。そして、枠体７の貫通孔７１に避難ハッチ５を収容（設置）した後、充填材を枠体７内に充填して左官することで、当該充填材により避難ハッチ５周りに水勾配を形成することができる。このように、避難ハッチ５を水平設置した状態で当該埋込物の周囲に水勾配を形成することができ、当該避難ハッチ５の設置状態は、周囲の水勾配の影響を受けないものとなる。
【００４９】
本実施形態の外部床構造の上下連通床部６では、枠体７の座部が梁１２〜１４によって水平に配置され、高さ方向Ｚの長さが全周において同一であるブラケット５６の上端部に、避難ハッチ５の桁部５５が支持されている。そのため、避難ハッチ５を水平設置することができる。
【００５０】
また、上下連通床部６が枠体７に覆われ、当該枠体７上のみを左官することとなるので、枠体７上の左官作業部位と一般床部３の敷設作業部位とが明確に区切られ、一方の作業が他方の作業の進行に影響を与えるものとはならない。このため、外部床４を施工する際には、一般床部３を形成する工程とは別工程で上下連通床部６に水勾配を形成することができ、且つ、当該上下連通床部６の水勾配を現場の状態（状況）に合わせて当該現場なりに形成することができ、現場の状況に応じた任意の水勾配を形成することができるものとなっている。例えば、一般床部３の施工に優先して上下連通床部６の施工を行うことができる。
【００５１】
また、上下連通床部６では、枠体７の立上り部７２ｃ，７３ｃが、一般床部３の水勾配に沿って傾斜状に形成されているので、枠体７の立上り部７２ｃ，７３ｃを定規として充填材を枠体７内に充填して左官することができる。これにより、上下連通床部６の水勾配と一般床部３とを段差無く揃えることができる。そのため、外部床４における排水性能を向上させることができる。かかる両床部（一般床部３と上下連通床部６）の水勾配を段差無く揃える施工の容易化も図ることができる。
【００５２】
また、避難ハッチ５の周壁には、同じ高さ位置に桁部５５が設けられ、当該桁部５５の上端部が、一般床部３の水勾配方向において、避難ハッチ５の水下側の端縁部と同じ位置での一般床部３の高さ位置と同じ或いは高い位置に設定されていると、避難ハッチ５の桁部５５と周壁上端部との高さ方向Ｚの間隔が周壁のいずれの位置でも同じとすることができる。したがって、当該桁部５５から周壁の上端部を覆う防水鋼板８１〜８４も周壁の周回に亘って同一の高さに設定することができるため、各側壁には同じ断面形状を有する防水鋼板８１〜８４を用いることができ、部材点数の削減を図ることができる。
【００５３】
当該桁部５５は、一般床部３の水勾配方向でみたときに、避難ハッチ５の水下側の端部と同じ位置での一般床部３の水勾配の高さ位置と同じ或いは高い位置に設定されているので、一般床部３に合わせて当該避難ハッチ５周りに水勾配を形成すると、当該桁部５５が水勾配よりも上方に突出することは無く、一般床部３と避難ハッチ５周りの水勾配とを段差なく滑らかに連結することができる。
【００５４】
枠体７内に充填物を充填する際に、当該桁部５５を避難ハッチ５側の定規として用いることができ、当該桁部５５と、一般床部５の水勾配の縁部とを充填材で連結することにより、これらの間を滑らかに連結することができるものとなり、その施工も容易となる。
【００５５】
この際、避難ハッチ５の周囲には、桁部５５に合わせて防水鋼板８１〜８４が設けられているため、当該避難ハッチ５の周囲は水平となるが、水勾配方向にみて避難ハッチ５の水下側となる部位では、手摺側に向けて下り傾斜状に形成されるものとなり、当該部位では水勾配なりに排水され、当該排水に引っ張られて他の部位の水も排水され易くなり、水溜りができるおそれが低減される。
【００５６】
以上、本発明をその実施形態に基づき具体的に説明したが、本発明は、上記実施形態に限定されるものではない。上記実施形態にあっては、埋込物として避難ハッチ５をベランダ１の外部床４に設置する場合について説明しているが、外部床４に設置される埋込物は、避難ハッチ５に限定されず、その他の箱状体または筒状体（円柱体）でもよい。
【００５７】
また、上記実施形態では、機能付加床部として、避難ハッチ５が配置される貫通孔が形成された枠体７を備える上下連通床部６について説明しているが、貫通孔が形成されていない枠体を備える機能付加床部でもよい。例えば、図５に示すように、貫通孔が形成されていない枠体７Ｂを備え、枠体７Ｂ内に機能部材として、筒状体が設置されている外部床でもよい。この筒状体は、例えば対象物を設置する際の土台として利用することができる。
【００５８】
また、上記実施形態では、有底箱状又は筒状の機能部材として、避難ハッチ５を設置しているが、機能部材は避難ハッチ５以外の物でもよい。例えば、機能部材として、対象物を設置する際に利用される土台又はベースなどでもよい。土台又はベースなどを用いて設置される対象物としては、空調装置の室外機、及び家具などが挙げられる。その他の対象物としては、太陽光発電のモジュールを支持するフレームなどが挙げられる。
【００５９】
外部床は、ベランダの外部床に限定されず、建物の屋上など、その他の外部床でもよい。
【符号の説明】
【００６０】
１  ベランダ
３  一般床部
４  外部床
５  避難ハッチ（埋込物、機能部材）
６  上下連通床部（凹部付き床部、機能付加床部）
７  枠体
５５  桁部
６１  凹部
６２  充填層
７２ａ，７３ａ，７４ａ，７５ａ  座部
７２ｃ，７３ｃ  立上り部
７１  貫通孔
８１〜８４  防水鋼板
【図１】
2014114604.tif 000003
【図２】
2014114604.tif 000004
【図３】
2014114604.tif 000005
【図４】
2014114604.tif 000006
【図５】
2014114604.tif 000007